(57)【要約】      （修正有）【課題】スポットの解像がぼやけてしまうことにより、出力された画像にスジが発生することを防止できる露光装置を提供する。【解決手段】発光素子基板と、結像光学系を有するレンズユニットと、発光素子基板及びレンズユニットを支持する支持部材と、支持部材の第１の方向の端部に設けられたスライドスリーブ部材と、スライドスリーブ部材に設けられ、第１の方向の軸を中心として回動するローラーと、スライドスリーブ部材を外嵌し、スライドスリーブ部材を発光素子基板の面に直交もしくは略直交する第３の方向に対し摺動するシャフト部材と、シャフト部材が取り付けられるシャフト支持部材と、シャフト支持部材に設けられスライドスリーブ部材を第３の方向に付勢する付勢部材と、スライドスリーブ部材に設けられ、第２の方向でシャフト部材に当接する当接コロと、を有する。【選択図】図９
2012213976.tif 000002
【特許請求の範囲】
【請求項１】
光を発光する第１の発光素子、前記第１の発光素子の第１の方向に配設されて光を発光する第２の発光素子、及び前記第１の方向と直交する第２の方向に配設された第３の発光素子が配設された面を有する発光素子基板と、
前記第１の発光素子から発光された光を結像する光学倍率が１とは異なる第１の結像光学系、前記第２の発光素子から発光された光を結像する光学倍率が１とは異なる第２の結像光学系、及び前記第３の発光素子から発光された光を結像する光学倍率が１とは異なる第３の結像光学系を有するレンズユニットと、
前記発光素子基板及び前記レンズユニットを支持する支持部材と、
前記支持部材の前記第１の方向の端部に設けられたスライドスリーブ部材と、
前記スライドスリーブ部材に設けられ、前記第１の方向の軸を中心として回動するローラーと、
前記スライドスリーブ部材を外嵌し、前記スライドスリーブ部材を前記発光素子基板の前記面に直交もしくは略直交する第３の方向に対し摺動するシャフト部材と、
前記シャフト部材が取り付けられるシャフト支持部材と、
前記シャフト支持部材に設けられ前記スライドスリーブ部材を前記第３の方向に付勢する付勢部材と、
前記スライドスリーブ部材に設けられ、前記第２の方向で前記シャフト部材に当接する当接コロと、
を備えることを特徴とする露光装置。
【請求項２】
前記発光素子基板は、前記第２の方向で、前記第３の発光素子と異なる位置に配設された第４の発光素子を有し、
前記レンズユニットは、前記第４の発光素子から発光された光を結像する光学倍率が１とは異なる第４の結像光学系を有する請求項１に記載の露光装置。
【請求項３】
前記第３の発光素子を含む前記発光素子基板の前記面と垂直な仮想平面に前記ローラーの軸が設けられる請求項１または２に記載の露光装置。
【請求項４】
前記スライドスリーブ部材は、前記支持部材の前記第１の方向の両端部に設けられる請求項１乃至請求項３のいずれか１項に記載の露光装置。
【請求項５】
前記コロは、複数設けられる請求項１乃至請求項４のいずれか１項に記載の露光装置。
【請求項６】
光を発光する第１の発光素子、前記第１の発光素子の第１の方向に配設されて光を発光する第２の発光素子、及び前記第１の方向と直交する第２の方向に配設された第３の発光素子が配設された面を有する発光素子基板と、
前記第１の発光素子から発光された光を結像する光学倍率が１とは異なる第１の結像光学系、前記第２の発光素子から発光された光を結像する光学倍率が１とは異なる第２の結像光学系、及び前記第３の発光素子から発光された光を結像する光学倍率が１とは異なる第３の結像光学系を有するレンズユニットと、
前記発光素子基板及びレンズユニットを支持する支持部材と、前記支持部材の前記第１の方向の端部に設けられたスライドスリーブ部材と、
前記スライドスリーブ部材に設けられ、前記第１の方向の軸を中心として回動するローラーと、
前記スライドスリーブ部材を外嵌して前記スライドスリーブ部材を前記発光素子基板の前記面に直交もしくは略直交する第３の方向に対し摺動するシャフト部材と、
前記シャフト部材が取り付けられるシャフト支持部材と、
前記シャフト支持部材に設けられ前記スライドスリーブ部材を前記第３の方向に付勢する付勢部材と、前記スライドスリーブ部材に設けられ、前記第２の方向で前記シャフト部材に当接する当接コロと、を有して潜像を形成する露光部と、
前記ローラーと当接するとともに、前記露光部により前記潜像が形成される潜像担持体と、
前記潜像担持体に形成された前記潜像を現像する現像部と、
を有することを特徴とする画像形成装置。
【請求項７】
前記発光素子基板は、前記第２の方向で、前記第３の発光素子と異なる位置に配設された第４の発光素子を有し、
前記レンズユニットは、前記第４の発光素子から発光された光を結像する光学倍率が１とは異なる第４の結像光学系を有する請求項６に記載の画像形成装置。
【発明の詳細な説明】
【技術分野】
【０００１】
本発明は、電子写真、静電複写機、プリンター、ファクシミリ等の電子写真方式の画像形成装置において、特に、感光体などの像担持体に静電潜像を形成するための露光手段として用いられる露光装置に関するものである。また、本発明はそのような露光装置を用いた画像形成装置に関するものである。
【背景技術】
【０００２】
電子写真方式のトナー像形成手段は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
感光体上により微細な静電潜像を形成するために、上記のような露光手段に用いる露光ヘッドとして、例えば特許文献１に記載されているように、主走査方向に略直行する副走査方向に搬送される被走査面（感光体表面）に光ビームを結像してスポットを形成する露光ヘッドであり、２個以上の発光素子を主走査方向に並べた発光素子列が副走査方向に複数並べられて複数の発光素子が２次元配置されてなるものが知られている。このような露光ヘッドでは、所望の解像度を実現するために、発光素子群が有する複数の発光素子から射出される光ビームを、２次元配置されてなる結像レンズによって所定の倍率で拡大、もしくは縮小して被走査面（感光体表面）にスポットを形成させるようにしている。このような露光ヘッドでは、被走査面（感光体表面）上において、副走査方向の異なる位置にわたってスポットが解像する。
【先行技術文献】
【特許文献】
【０００４】
【特許文献１】特開２００８−３６９３７号公報
【発明の概要】
【発明が解決しようとする課題】
【０００５】
特許文献１記載の露光ヘッドにおいては、少なくとも複数の結像レンズを２次元配置するため、また隣り合う結像レンズのクロストークを抑制するために、複数の発光素子群のピッチを十分空けるようにしている。また、このような結像レンズを用いてスポットの結像を行う光学系は結像レンズの焦点深度が概ね２０〜３０μｍと大変短い。そのため、結像の焦点を一定に保つためには、感光体ドラムと露光ヘッドとの位置精度を高くすると共に、感光体ドラムが回転方向で振れたとしても感光体ドラム表面と露光ヘッドのギャップを一定に保つことが望ましい。
【０００６】
このために、上記のような露光ヘッドを組み込んだ露光ユニットでは、露光ヘッドの主走査方向の両端に当接コロを設け、かつ露光ヘッドが感光体母線に沿う方向にスライドするようなスライド機構を用い、当接コロを感光体に押し当てることで感光体と露光ヘッドのギャップを一定に保つ機構を採用する場合がある。
【０００７】
ところで、上記のような機構を用いた場合、露光ヘッドは感光体ドラムの回転反力により当接コロから副走査方向に力を受け、スライド機構のガタ分だけ露光ヘッド全体が傾くことがある。このような露光ヘッドの傾きのため結像レンズの焦点位置が被走査面（感光体表面）からずれ、この焦点位置ずれの影響によって、スポットの解像がぼやけてしまい、出力された画像にスジが発生する問題があった。
【０００８】
なお、上記のような光学系が用いられている特許文献１記載の露光ヘッドは、スライド機構のガタに基づく焦点位置のずれが、セルフォックレンズを用いた露光ヘッドよりも１０倍程度大きくなり、画像への影響が著しくなる。
【課題を解決するための手段】
【０００９】
本発明は上記のような問題を解決するために、本発明に係る露光装置は、光を発光する第１の発光素子、前記第１の発光素子の第１の方向に配設されて光を発光する第２の発光素子、及び前記第１の方向と直交する第２の方向に配設された第３の発光素子を備える面を有する発光素子基板と、前記第１の発光素子から発光された光を結像する光学倍率が１とは異なる第１の結像光学系、前記第２の発光素子から発光された光を結像する光学倍率が１とは異なる第２の結像光学系、及び前記第３の発光素子から発光された光を結像する光学倍率が１とは異なる第３の結像光学系を有するレンズユニットと、前記発光素子基板及びレンズユニットを支持する支持部材と、前記支持部材の前記第１の方向の端部に設けられたスライドスリーブ部材と、前記スライドスリーブ部材に設けられ、前記第１の方向の軸を中心として回動するローラーと、前記スライドスリーブ部材を外嵌し、前記スライドスリーブ部材を前記発光素子基板の前記面に直交もしくは略直交する第３の方向に対し摺動するシャフト部材と、前記シャフト部材が取り付けられるシャフト支持部材と、前記シャフト支持部材に設けられ前記スライドスリーブ部材を前記第３の方向に付勢する付勢部材と、前記スライドスリーブ部材に設けられ、前記第２の方向で前記シャフト部材に当接する当接コロと、を有することを特徴とする。
【００１０】
また、本発明に係る露光装置は、前記発光素子基板が、前記第２の方向で、前記第３の発光素子と異なる位置に配設された第４の発光素子を有し、前記レンズユニットは、前記第４の発光素子から発光された光を結像する光学倍率が１とは異なる第４の結像光学系を有する。
【００１１】
また、本発明に係る露光装置は、前記第３の発光素子を含む前記発光素子基板の前記面と垂直な仮想平面に前記ローラーの軸が設けられる。
【００１２】
また、本発明に係る露光装置は、前記スライドスリーブ部材が、前記支持部材の前記第１の方向の両端部に設けられる。
【００１３】
また、本発明に係る露光装置は、前記コロが、複数設けられる。
【００１４】
また、本発明に係る画像形成装置は、光を発光する第１の発光素子、前記第１の発光素子の第１の方向に配設されて光を発光する第２の発光素子、及び前記第１の方向と直交する第２の方向に配設された第３の発光素子を備える面を有する発光素子基板と、前記第１の発光素子から発光された光を結像する光学倍率が１とは異なる第１の結像光学系、前記第２の発光素子から発光された光を結像する光学倍率が１とは異なる第２の結像光学系、及び前記第３の発光素子から発光された光を結像する光学倍率が１とは異なる第３の結像光学系を有するレンズユニットと、前記発光素子基板及びレンズユニットを支持する支持部材と、前記支持部材の前記第１の方向の端部に設けられたスライドスリーブ部材と、前記スライドスリーブ部材に設けられ、前記第１の方向の軸を中心として回動するローラーと、前記スライドスリーブ部材を外嵌して前記スライドスリーブ部材を前記発光素子基板の前記面に直交もしくは略直交する第３の方向に対し摺動するシャフト部材と、前記シャフト部材が取り付けられるシャフト支持部材と、前記シャフト支持部材に設けられ前記スライドスリーブ部材を前記第３の方向に付勢する付勢部材と、前記スライドスリーブ部材に設けられ、前記第２の方向で前記シャフト部材に当接する当接コロと、を有して潜像を形成する露光部と、前記ローラーと当接するとともに、前記露光部により前記潜像が形成される潜像担持体と、前記潜像担持体に形成された前記潜像を現像する現像部と、を有することを特徴とする。
【００１５】
また、本発明に係る画像形成装置は、前記発光素子基板が、前記第２の方向で、前記第３の発光素子と異なる位置に配設された第４の発光素子を有し、前記レンズユニットは、前記第４の発光素子から発光された光を結像する光学倍率が１とは異なる第４の結像光学系を有する。
【００１６】
本発明の露光ユニット及び画像形成装置によれば、２次元配置されてなる複数のレンズを有する露光ヘッドを支持する支持部材の端部に設けられたスライドスリーブ部材が複数のコロによって押圧される構成となっており、この複数のコロによって、スライドスリーブ部材を含むスライド機構のガタを少なくすることで露光ヘッドが傾くことを抑えることができるので、レンズの焦点位置が被走査面（感光体表面）からずれ、この焦点位置ずれの影響によって、スポットの解像がぼやけてしまい、出力された画像にスジが発生することを抑制できる。
【図面の簡単な説明】
【００１７】
【図１】本発明の実施形態に係る画像形成装置を構成する主要構成要素を示した図である。
【図２】光書き込み露光ヘッドの構成を示す一部を破断した斜視図である。
【図３】図２の副走査方向に沿ってとった断面図である。
【図４】図２の場合の発光体アレイとレンズアレイの配置を示す平面図である。
【図５】１個のレンズとそれに対応する発光素子群との対応関係を示す図である。
【図６】各発光素子群を構成する発光素子から、レンズアレイのレンズを通る光路を示す光路図である。
【図７】レンズアレイの斜視図である。
【図８】レンズアレイの断面を示す図である。
【図９】本発明の実施形態に係る露光ユニットの構成を説明する図である。
【図１０】本発明の実施形態に係る露光ユニットの構成を説明する図である。
【図１１】本発明の実施形態に係る露光ユニットの構成を説明する図である。
【図１２】従来例に係る露光ユニットの問題点を説明する図である。
【図１３】従来例に係る露光ユニットの問題点を説明する図である。
【図１４】本発明の実施形態に係る露光ユニットにおいて当接コロを設ける効果を説明する図である。
【図１５】本発明の実施形態に係る露光ユニットにおいて当接コロを多数設ける効果を説明する図である。
【図１６】本発明の他の実施形態に係る露光ユニットで用いられる露光ヘッドの断面図である。
【図１７】本発明の他の実施形態に係る露光ユニットで用いられる露光ヘッドの発光体アレイとレンズアレイの配置を示す平面図である。
【図１８】本発明の他の実施形態に係る露光ユニットにおける露光ヘッドの傾きを説明する図である。
【発明を実施するための形態】
【００１８】
以下、本発明の実施の形態を図面で参照しつつ説明する。図１は本発明の実施の形態に係る画像形成装置を構成する主要構成要素を示した図である。画像形成装置の中央部に配置された各色の画像形成部に対し、現像装置３０Ｙ、３０Ｍ、３０Ｃ、３０Ｋは、画像形成装置の下方部に配置され、転写ベルト４０、２次転写部（２次転写ユニット）６０、定着ユニット（不図示）などの構成は画像形成装置の上方部に配置されている。
【００１９】
現像装置３０Ｙ、３０Ｍ、３０Ｃ、３０Ｋは、トナーによる画像を形成するために、感光体１０Ｙ、１０Ｍ、１０Ｃ、１０Ｋ、コロナ帯電器１１Ｙ、１１Ｍ、１１Ｃ、１１Ｋ、露光ヘッドが設けられた露光ユニット１２Ｙ、１２Ｍ、１２Ｃ、１２Ｋ等を備えている。コロナ帯電器１１Ｙ、１１Ｍ、１１Ｃ、１１Ｋにより、感光体１０Ｙ、１０Ｍ、１０Ｃ、１０Ｋを一様に帯電させ、露光ユニット１２Ｙ、１２Ｍ、１２Ｃ、１２Ｋにより、入力された画像信号に基づいて露光を行い、帯電された感光体１０Ｙ、１０Ｍ、１０Ｃ、１０Ｋ上に静電潜像を形成する。
【００２０】
現像装置３０Ｙ、３０Ｍ、３０Ｃ、３０Ｋは、概略、現像ローラー２０Ｙ、２０Ｍ、２０Ｃ、２０Ｋ、イエロー（Ｙ）、マゼンタ（Ｍ）、シアン（Ｃ）、ブラック（Ｋ）からなる各色の液体現像剤を貯蔵する現像剤容器（リザーバ）３１Ｙ、３１Ｍ、３１Ｃ、３１Ｋ、これら各色の液体現像剤を現像剤容器３１Ｙ、３１Ｍ、３１Ｃ、３１Ｋから現像ローラー２０Ｙ、２０Ｍ、２０Ｃ、２０Ｋに塗布する塗布ローラーであるアニロックスローラー３２Ｙ、３２Ｍ、３２Ｃ、３２Ｋ等を備え、各色の液体現像剤により感光体１０Ｙ、１０Ｍ、１０Ｃ、１０Ｋ上に形成された静電潜像を現像する。
【００２１】
転写ベルト４０は、エンドレスのベルトであり、駆動ローラー４１とテンションローラー４２、５２に張架され、１次転写部５０Ｙ、５０Ｍ、５０Ｃ、５０Ｋで感光体１０Ｙ、１０Ｍ、１０Ｃ、１０Ｋと当接しながら駆動ローラー４１により回転駆動される。１次転写部５０Ｙ、５０Ｍ、５０Ｃ、５０Ｋは、感光体１０Ｙ、１０Ｍ、１０Ｃ、１０Ｋと転写ベルト４０を挟んで１次転写ローラー５１Ｙ、５１Ｍ、５１Ｃ、５１Ｋが対向配置され、感光体１０Ｙ、１０Ｍ、１０Ｃ、１０Ｋとの当接位置を転写位置として、現像された感光体１０Ｙ、１０Ｍ、１０Ｃ、１０Ｋ上の各色のトナー像を転写ベルト４０上に順次重ねて転写し、フルカラーのトナー像を形成する。
【００２２】
２次転写ユニット６０は、２次転写ローラー６１が転写ベルト４０を挟んでベルト駆動ローラー４１と対向配置され、さらに２次転写ローラークリーニングブレード６２からなるクリーニング装置が配置される。そして、２次転写ローラー６１を配置した転写位置において、転写ベルト４０上に形成された単色のトナー像やフルカラーのトナー像を転写材搬送経路Ｌにて搬送される用紙、フィルム、布等の転写材に転写する。
【００２３】
さらに、経路転写材搬送経路Ｌの下流の定着ユニット（不図示）では、用紙等の転写材上に転写された単色のトナー像やフルカラーのトナー像を用紙等の転写材に融着させ定着させる。
【００２４】
テンションローラー４２は、ベルト駆動ローラー４１などと共に転写ベルト４０を張架しており、転写ベルト４０がテンションローラー４２に張架されている箇所で、転写ベルトクリーニングブレード４９からなるクリーニング装置が当接・配置され、転写ベルト４０上の残りトナー、キャリアをクリーニングするようになっている。
【００２５】
画像形成装置に対する転写材の供給は給紙装置（不図示）によって行われる。このような給紙装置にセットされた転写材は、所定のタイミングにて一枚ごとに転写材搬送経路Ｌに送り出されるようになっている。転写材搬送経路Ｌでは、ゲートローラー１０１、１０１’及び転写材ガイド１０２によって転写材を２次転写位置まで搬送し、転写ベルト４０上に形成された単色のトナー現像像やフルカラーのトナー現像像を転写材に転写する。
【００２６】
ここで、現像装置について説明するが、各色の画像形成部及び現像装置の構成は同様であるので、以下、イエロー（Ｙ）の画像形成部及び現像装置に基づいて説明する。
【００２７】
画像形成部は、感光体１０Ｙの外周の回転方向に沿って、感光体クリーニングブレード１８Ｙ、コロナ帯電器１１Ｙ、露光ユニット１２Ｙ、現像装置３０Ｙの現像ローラー２０Ｙ、第１感光体スクイーズローラー１３Ｙ、第２感光体スクイーズローラー１３Ｙ’が配置されている。
【００２８】
感光体１０Ｙと当接している感光体クリーニングブレード１８Ｙは、感光体１０Ｙ上の転写されずに残った液体現像剤をクリーニングする。
【００２９】
現像装置３０Ｙにおける現像ローラー２０Ｙの外周には、クリーニングブレード２１Ｙ、アニロックスローラー３２Ｙ、コンパクションコロナ発生器２２Ｙが配置されている。アニロックスローラー３２Ｙには、現像ローラー２０Ｙへ供給する液体現像剤の量を調整する規制ブレード３３Ｙが当接している。液体現像剤容器３１Ｙの中にはオーガ３４Ｙが収容されている。また、感光体１０Ｙと対向する位置には、転写ベルト４０を挟むようにして、１次転写部の１次転写ローラー５１Ｙが配置されている。
【００３０】
感光体１０Ｙは、外周面にアモルファスシリコン感光体などの感光層が形成された円筒状の部材からなる感光体ドラムであり、時計回りの方向に回転する。
【００３１】
コロナ帯電器１１Ｙは、感光体１０Ｙと現像ローラー２０Ｙとのニップ部より感光体１０Ｙの回転方向の上流側に配置され、図示しない電源装置から電圧が印加され、感光体１０Ｙをコロナ帯電させる。露光ユニット１２Ｙは、コロナ帯電器１１Ｙより感光体１０Ｙの回転方向の下流側において、コロナ帯電器１１Ｙによって帯電された感光体１０Ｙ上に光を照射し、感光体１０Ｙ上に潜像を形成する。なお、画像形成プロセスの始めから終わりまでで、より前段に配置されるローラーなどの構成は、後段に配置されるローラーなどの構成より上流にあるものと定義する。
【００３２】
現像装置３０Ｙは、コンパクション作用を施すコンパクションコロナ発生器２２Ｙ、キャリア内にトナーを概略重量比２０％程度に分散した状態の液体現像剤を貯蔵する現像剤容器３１Ｙを有する。
【００３３】
また現像装置３０Ｙは、前記の液体現像剤を担持する現像ローラー２０Ｙ、液体現像剤を現像ローラー２０Ｙに塗布するための塗布ローラーであるアニロックスローラー３２Ｙと、現像ローラー２０Ｙに塗布する液体現像剤量を規制する規制ブレード３３Ｙと、液体現像剤を攪拌、搬送しつつアニロックローラー３２Ｙに供給するオーガ３４Ｙ、現像ローラー２０Ｙに担持された液体現像剤をコンパクション状態にするコンパクションコロナ発生器２２Ｙ、現像ローラー２０Ｙのクリーニングを行う現像ローラークリーニングブレード２１Ｙを有する。
【００３４】
現像剤容器３１Ｙに収容されている液体現像剤は、従来一般的に使用されているＩｓｏｐａｒ（商標：エクソン）をキャリアとした低濃度（１〜３ｗｔ％程度）かつ低粘度の、常温で揮発性を有する揮発性液体現像剤ではなく、高濃度かつ高粘度の、常温で不揮発性を有する不揮発性液体現像剤である。すなわち、本発明における液体現像剤は、熱可塑性樹脂中へ顔料等の着色剤を分散させた平均粒径１〜２μｍの固形子を、有機溶媒、シリコンオイル、鉱物油又は食用油等の液体溶媒中へ分散剤とともに添加し、トナー固形分濃度を約１５〜２５％とした高粘度（ＨＡＡＫＥ  ＲｈｅｏＳｔｒｅｓｓ  ＲＳ６００を用いて、２５℃の時のせん断速度が１０００（１／ｓ）のときの粘弾性が３０〜３００ｍＰａ・ｓ程度）の液体現像剤である。
【００３５】
本実施形態に係る画像形成装置では、現像剤容器３１Ｙに供給される液体現像剤を調整するために、濃度調整用タンク（不図示）が設けられており、このような濃度調整用タンクにてトナー固形分濃度約２０％の液体現像剤を調整する。また、一方でトナー固形分濃度約２０％以上の高濃度トナーを貯蔵するタンクである高濃度トナータンク（不図示）を有しており、この高濃度トナーからの高濃度トナーを濃度調整用タンクに供給するようになっている。また、メインキャリアタンクＭＴ（不図示）にはキャリア液の原液が貯蔵されており、このメインキャリアタンクＭＴから濃度調整用タンクにキャリア液が供給されて、濃度調整用タンクにてトナー固形分濃度約２０％の液体現像剤が調整される。
【００３６】
アニロックスローラー３２Ｙは、現像ローラー２０Ｙに対して液体現像剤を供給し、塗布する塗布ローラーとして機能するものである。このアニロックスローラー３２Ｙは、円筒状の部材であり、表面に現像剤を担持し易いように表面に微細且つ一様に螺旋状に彫刻された溝による凹凸面が形成されたローラーである。このアニロックスローラー３２Ｙにより、現像剤容器３１Ｙから現像ローラー２０Ｙへと液体現像剤が供給される。装置動作時においては、図１に示すように、オーガ３４Ｙが反時計回り回転し、アニロックローラー３２Ｙに液体現像剤を供給し、アニロックローラー３２Ｙは反時計回りに回転して、現像ローラー２０Ｙに液体現像剤を塗布する。
【００３７】
規制ブレード３３Ｙは、厚さ２００μｍ程度の金属ブレードであり、アニロックスローラー３２Ｙの表面に当接し、アニロックスローラー３２Ｙによって担持搬送されてきた液体現像剤の膜厚、量を規制、調整し、現像ローラー２０Ｙに供給する液体現像剤の量を調整する。
【００３８】
現像ローラークリーニングブレード２１Ｙは、現像ローラー２０Ｙの表面に当接するゴム等で構成され、現像ローラー２０Ｙが感光体１０Ｙと当接する現像ニップ部より現像ローラー２０Ｙの回転方向の下流側に配置されて、現像ローラー２０Ｙに残存する液体現像剤を掻き落として除去するものである。
【００３９】
コンパクションコロナ発生器２２Ｙは、現像ローラー２０Ｙ表面の帯電バイアスを増加させる電界印加手段であり、コンパクションコロナ発生器２２Ｙによって、コンパクション部位でコンパクションコロナ発生器２２Ｙ側から現像ローラー２０Ｙに向かって電界が印加される。なお、このコンパクションのための電界印加手段は、図１に示すコロナ放電器のコロナ放電に代えて、コンパクションローラーなどを用いても良い。
【００４０】
現像ローラー２０Ｙに担持されてコンパクションされた現像剤は、現像ローラー２０Ｙが感光体１０Ｙに当接する現像ニップ部において、所定の電界印加によって、感光体１０Ｙの潜像に対応して現像される。
【００４１】
現像残りの現像剤は、現像ローラークリーニングブレード２１Ｙによって掻き落として除去され現像剤容器３１Ｙ内の回収部に滴下して再利用される。尚、このようにして再利用されるキャリア及びトナーは混色状態ではない。
【００４２】
１次転写の上流側に配置される感光体スクイーズ装置は、感光体１０Ｙに対向して現像ローラー２０Ｙの下流側に配置して感光体１０Ｙに現像されたトナー像の余剰キャリアを回収するものである。この感光体スクイーズ装置は、感光体１０Ｙに摺接して回転する弾性ローラー部材から成る第１感光体スクイーズローラー１３Ｙ、第２感光体スクイーズローラー１３Ｙ’とから構成され、感光体１０Ｙ上に現像されたトナー像から余剰なキャリア及び本来不要なカブリトナーを回収し、顕像（トナー像）内のトナー粒子比率を上げる機能を有する。なお、感光体スクイーズローラー１３Ｙ、１３Ｙ’には、所定のバイアス電圧が印加されている。
【００４３】
上記の第１感光体スクイーズローラー１３Ｙ、第２感光体スクイーズローラー１３Ｙ’からなるスクイーズ装置を経た感光体１０Ｙ表面は、１次転写部５０Ｙに進入する。
【００４４】
１次転写部５０Ｙでは、感光体１０Ｙに現像された現像剤像を１次転写ローラー５１Ｙにより転写ベルト４０へ転写する。この１次転写部においては、１次転写バックアップローラー５１に印加される転写バイアスの作用によって、感光体１０上のトナー像は転写ベルト４０側に転写される。ここで、感光体１０Ｙと転写ベルト４０は等速度で移動する構成であり、回転及び移動の駆動負荷を軽減するとともに、感光体１０Ｙの顕像トナー像への外乱作用を抑制している。
【００４５】
上記現像装置３０Ｙの現像プロセスと同様のプロセスによって、現像装置３０Ｍ、３０Ｃ、３０Ｋにおいても、それぞれの感光体１０Ｍ、１０Ｃ、１０Ｋ上にマゼンタ（Ｍ）、シアン（Ｃ）、ブラック（Ｋ）のトナー像が各々形成される。そして、転写ベルト４０はイエロー（Ｙ）、マゼンタ（Ｍ）、シアン（Ｃ）、ブラック（Ｋ）各色の１次転写部５０のニップを通過し、各色の感光体上の現像剤（現像像）が転写され、色重ねされて２次転写ユニット６０のニップ部に進入する。
【００４６】
転写ベルト４０は、ポリイミド基層上にポリウレタンの弾性中間層を設け、さらにその上にＰＦＡ表層が設けられている三層構造となっている。このような転写ベルト４０では、ポリイミド基層側において駆動ローラー４１、テンションローラー４２、５２で張架され、ＰＦＡ表層側においてトナー像が転写されるようにして用いられる。このように形成された弾性を有する転写ベルト４０は、転写材表面への追従性、応答性がよいために、２次転写時において、特に粒子径が小さいトナー粒子を転写材の凹部に対して送り込み転写させるのに有効である。
【００４７】
２次転写ユニット６０を経た転写ベルト４０は、再び１次転写部５０で転写像を受けるために周回するが、１次転写部５０が実行される上流側において転写ベルト４０は、転写ベルトクリーニングブレード４９などによってクリーニングが実施される。
【００４８】
次に、本発明の露光ユニット１２Ｙ、１２Ｍ、１２Ｃ、１２Ｋそれぞれに採用されている露光ヘッド２３Ｙ、２３Ｍ、２３Ｃ、２３Ｋの構成の概要について説明する。なお、以下の光学系の説明においてはＹ、Ｍ、Ｃ、Ｋなどの添字を省略する。図２は光書き込み露光ヘッドの構成を示す一部を破断した斜視図であり、図３はその副走査方向（幅方向）に沿ってとった断面図である。また、図４はこの場合の発光体アレイとレンズアレイの配置を示す平面図である。さらに、図５は１個のレンズとそれに対応する発光素子群との対応関係を示す図である。
【００４９】
図２は、露光ヘッド２３を拡大して示す概略の斜視図である。図２乃至図５において、２０１は発光部、２０２は発光素子、２０４は発光素子群、２０５はレンズ、２０６はレンズアレイ、２２０はガラス基板、２２１はケース、２２２は受け穴、２２４は固定金具、２２５は位置決めピン、２２６はねじ挿入孔、２２７は封止部材、２２８は遮光部材、２２９は透孔をそれぞれ示している。
【００５０】
発光部２０１は、ガラス基板２２０上に発光素子２０２を主走査方向（長手方向）・副走査方向（幅方向）にアレイ状に配列した有機ＥＬ発光素子ラインを有している。この発光部２０１は、主走査方向に長尺状に設けられているケース２２１中に保持されている。
【００５１】
図２においては、感光体ユニットに取り付けられた各感光体（像担持体）１０に対して、露光ヘッド２３を正確に位置決めするために、位置決めピン２２５とねじ挿入孔２２６を設けている。位置決めピン２２５を、図示を省略した露光ヘッド２３のケースの対向する位置決め穴に嵌入させる。位置決めピン２２５と位置決め穴とは主走査方向に若干の隙間を持って嵌入され、露光ヘッド２３の主走査方向への位置調整が可能に設定されている。また、長尺のケース２２１の両端に設けたねじ挿入孔２２６を通して、固定ねじを前記露光ヘッド２３のケースのねじ穴にねじ込んで固定することにより、各ラインヘッド２３が所定位置に固定される。
【００５２】
露光ヘッド２３においては、結像光学系としてマイクロレンズを採用している。ケース２２１は、ガラス基板２２０の周囲を覆い、感光体（像担持体）１０に面した側は開放する。このようにして、露光ヘッド２３から感光体（像担持体）１０に光線を射出する。
【００５３】
図３は、本発明の実施形態に係る露光ユニット１２に採用される露光ヘッドの縦断面図であり、図２の構成を部分的に示している。ガラス基板２２０上に有機ＥＬ発光素子２０２の発光部２０１を載置し、同じガラス基板２２０に形成されたＴＦＴ（不図示）により駆動される。発光部２０１の前面に配置されるレンズ２０５を通して、出力光が感光体（像担持体）１０へ照射される。ケース２２１は、ガラス基板２２０の周囲を覆い、感光体（像担持体）１０に面した側は開放する。不透明カバーは、発光部２０１の出力光が像担持体への照射面とは反対側に放射されることを防止して発光効率を高めている。
【００５４】
この例では、主走査方向（露光ヘッド長手方向）に４個の有機ＥＬ素子からなる発光素子２０２を配列した発光素子行を、副走査方向（露光ヘッド幅方向）に互いがずれるようにして２つ形成して１個の発光素子群２０４とし、この発光素子群２０４を主走査方向及び副走査方向に複数設けて発光体のアレイを形成している。発光素子群２０４は、発光素子行が設けられる副走査方向の違いにより、主走査方向の先頭位置がずらされてなる、所謂千鳥状配列となっている。図４、図５の例では、発光素子群２０４が副走査方向（露光ヘッド幅方向）に３列配置されている。このような発光体アレイは、ガラス基板２２０の裏面上に形成されており、同じガラス基板２２０の裏面上に形成された駆動回路により駆動される。なお、ガラス基板２２０の裏面の有機ＥＬ素子（発光素子２０２）は封止部材２２７で封止されている。
【００５５】
ガラス基板２２０は長尺のケース２２１に設けられた受け穴２２２中に嵌め込まれ、裏蓋２２３を被せて固定金具２２４により固定される。長尺のケース２２１の両端に設けた位置決めピン２２５を対向する画像形成装置本体の位置決め穴に嵌入させると共に、長尺のケース２２１の両端に設けたねじ挿入孔２２６を通して固定ねじを画像形成装置本体のねじ穴にねじ込んで固定することにより、光書き込み露光ヘッド２３が所定位置に固定されている。
【００５６】
そして、ケース２２１のガラス基板２２０の表面側には、発光体アレイの各発光素子群２０４と整列するように透孔２２９が穿たれた所定の厚さの遮光部材２２８を介して、レンズアレイ２０６が固定されている。その際、図５から明らかなように、レンズアレイ２０６の各レンズ２０５の光軸が発光素子群２０４の中心に整列するようにレンズアレイ２０６が固定されている。
【００５７】
図６は各発光素子群を構成する発光素子から、レンズアレイのレンズを通る光路を示す光路図であり、図７はレンズアレイの斜視図であり、図８はレンズアレイの断面を示す図である。
【００５８】
図６における光路の軌跡が示すように、各発光素子から射出された光ビームは、ガラス基板２２０の裏面に入射した後、該ガラス基板２２０の表面から射出される。そして、ガラス基板２２０の表面から射出された光ビームはレンズアレイ２０６を介して感光体（像担持体）１０の表面（被走査面）に到達する。また、光路の幾何特性が示すように、露光ヘッド２３における上記光学系の倍率（光学倍率）の絶対値は１より大きい。つまり、露光ヘッド２３における上記光学系は、拡大特性を有するいわゆる拡大光学系である。
【００５９】
図８は、レンズアレイ２０６の断面図であり、それを構成する同一のレンズ２０５が所定方向、図５の場合は、主走査方向（露光ヘッド長手方向）に一定ピッチで列状に配置され、副走査方向（露光ヘッド幅方向）に３個の同様のレンズ２０５の列が３列配置され、主走査方向の列の先頭位置が３分の１ピッチずつずらして配列されて構成される。
【００６０】
このレンズアレイ２０６は、ガラス板等からなり所定厚さのレンズ基板２７１の表面に透明樹脂製の所定形状の曲面のレンズ屈折面部７２が、またその裏面に同様の透明樹脂製の所定形状の曲面のレンズ屈折面部２７３が一体に成形されてなるものであり、各レンズ屈折面部２７２、２７３の光軸が対応する各レンズ２０５の光軸Ｏ−Ｏ’と軸合わせて正確に成形されているものである。レンズ屈折面部２７２とレンズ屈折面部２７３の同一形状であっても異なる形状であってもよい。各々のレンズ２０５は、光学倍率が１ではなく、光学倍率がマイナス（倒立結像）の結像素子である。また、このようなレンズ２０５を用いてスポットの結像を行う光学系はレンズ２０５の焦点深度が概ね２０〜３０μｍと大変短い。
【００６１】
ここで、露光ヘッド２３における発光素子群とレンズのより詳細な位置関係について図４、図６を参照して定義する。発光素子群２０４が設けられている平面を「第１平面」として定義する。また、図６に示す、発光素子群２０４が設けられる第１平面から所定距離離れている仮想的な平面を第２平面として定義する。
【００６２】
また、図４に示すように、主走査方向（長手方向）の同一ライン上に設けられる一連の発光素子群２０４の最初のものの端部（ａ）と最後のものの端部（ａ’：不図示）の間の結ぶ線分ａ−ａ’を第１線分として定義する。これによれば、複数の発光素子群２０４が第１線分上に所定距離間隔で設けられていることとなる。
【００６３】
また、図４に示すように、主走査方向（長手方向）の同一ライン上に設けられる一連の発光素子群２０４の最初のものの端部（ｂ）と最後のものの端部（ｂ’：不図示）の間の結ぶ線分ｂ−ｂ’を第２線分として定義する。これによれば、複数の発光素子群２０４が第２線分上に所定距離間隔で設けられていることとなる。
【００６４】
また、図４に示すように、主走査方向（長手方向）の同一ライン上に設けられる一連の発光素子群２０４の最初のものの端部（ｃ）と最後のものの端部（ｃ’：不図示）の間の結ぶ線分ｃ−ｃ’を第２線分として定義する。これによれば、複数の発光素子群２０４が第３線分上に所定距離間隔で設けられていることとなる。
【００６５】
線分ｂ−ｂ’は線分ａ−ａ’と第１距離ｄ１離れており、線分ｃ−ｃ’は線分ａ−ａ’と第２距離ｄ２離れており、線分ａ−ａ’、線分ｂ−ｂ’、線分ｃ−ｃ’は全て互いに平行の関係にある。
【００６６】
第２平面と、所定の発光素子群２０４から伸ばした第１平面の垂線とが交わる位置にレンズ２０５が配置されており、このレンズ２０５が当該発光素子群２０４から射出される光ビームの光学系として機能する。このような関係は、全ての発光素子群２０４と、それぞれに対応するレンズ２０５との間で成立している。
【００６７】
次に、以上のように構成される露光ヘッド２３が搭載される露光ユニット１２の構成について説明する。図１０乃至図１１は本発明の実施形態に係る露光ユニット１２の構成を説明する図であり、図９（Ａ）は露光ユニット１２と感光体１０とを抜き出して示した図であり、感光体１０軸に対して水平方向からみたものであり、図９（Ｂ）は露光ユニット１２と感光体１０を側面からみた図である。第３平面は前記第１線分に垂直で前記シャフト部材３１０の中心線を含む平面であり、すなわち、図９（Ａ）に示されたＢ−Ｂ’断面のうち、シャフト部材３１０の中心線を通る部分に等しい。また、図１０は図９（Ａ）に示されたＢ−Ｂ’断面の図であり、図１１は露光ユニット１２及び感光体１０端部の斜視図である。図１１では一連の構成を理解しやすいようユニット基材３００とスライドスリーブ部材３２０を第３平面で切断して図示している。
【００６８】
露光ユニット１２におけるユニット基材３００は、画像形成装置本体のシャーシ（不図示）に固定して取り付けられるものであり、感光体１０との相対的位置関係が変わらないようになっている。このユニット基材３００の長手方向端部の２箇所にはシャフト部材３１０が２つ設けられている。これらのシャフト部材３１０に外嵌されるようにして、２つのスライドスリーブ部材３２０が設けられており、２つのスライドスリーブ部材３２０がシャフト部材３１０を軸として、図中Ｐ−Ｑの方向にスライド可能となっている。すなわち、シャフト部材３１０は、スライドスリーブ部材３２０を前記第１平面の垂線方向に対し摺動可能に保持するようになっている。
【００６９】
２つのスライドスリーブ部材３２０の間には、露光ヘッド２３を支持する支持部材３３０が固定されており、この支持部材３３０も同じく、スライドスリーブ部材３２０に併せてスライド可能となっており、したがって、露光ヘッド２３の位置は感光体１０に対して近づいたり遠ざかったりするようになっている。
【００７０】
露光ヘッド２３は、その長手方向が、支持部材３３０の長手方向と対応するように支持部材３３０に固定されている。したがって、配置関係としては、スライドスリーブ部材３２０は支持部材３３０における第１線分方向の両端部に２つ設けられた格好となっている。
【００７１】
ユニット基材３００には、２つのスライドスリーブ部材３２０を感光体１０方向（図中Ｐ方向）に付勢するバネなどの付勢部材３５０がそれぞれのスライドスリーブ部材３２０に対応するように設けられている。一方、２つのスライドスリーブ部材３２０は、第１線分方向のローラー軸３４１を中心として回動するように当接ローラー３４０が固定されており、この当接ローラーが感光体１０と当接して、露光ヘッド２３と感光体１０とのギャップ距離を決めるようになっている。従って、露光ヘッド２３はＰ方向に付勢されつつ、感光体１０とつれ周りする当接ローラー３４０により、位置決めがなされる状態となっている。
【００７２】
また、スライドスリーブ部材３２０には、前記第１線分に垂直で前記シャフト部材３１０の中心線を含む第３平面上を中心が通り、前記シャフト部材３１０に当接する複数の当接コロ３７０がそれぞれのスライドスリーブ部材３２０に対応するように設けられている。このような当接コロ３７０を設ける効果は後述する。
【００７３】
図１２は前記のような当接コロ３７０が設けられていない従来例を示す図であり、図１３は従来例における露光ヘッド２３と感光体１０表面の拡大図である。なお、これらの図においては、便宜上説明に必要な構成のみを示している。
【００７４】
図１２及び図１３に示すような、露光ヘッド２３を組み込んだ従来の露光ユニットでは、露光ヘッド２３の主走査方向の両端に当接ローラー３４０が設けられ、露光ヘッド２３が感光体母線に沿う方向にスライドするようなスライド機構（スライドスリーブ部材３２０とシャフト部材３１０）を用い、当接ローラー３４０を感光体１０に押し当てることで感光体１０と露光ヘッド２３のギャップを一定に保つようにしているが、感光体１０の回転に伴い、当接ローラー３４０からその回転力を受けたスライドスリーブ部材３２０が図に示すように傾くという現象が発生する。このような傾きは、シャフト部材３１０とスライドスリーブ部材３２０との間のアソビに起因するものであり、その機械的な動作に大きな影響を及ぼすものではないが、図１３に示すように露光ヘッド２３から感光体１０表面に結像させるスポット径のピントがずれてしまう、という問題がある。これは露光ヘッド２３に用いられるマイクロレンズ２０５の焦点深度が概ね２０〜３０μｍと浅いことにも原因がある。従来では、上記のような問題によって、スポットの解像がぼやけてしまい、出力された画像にスジが発生する問題となっていた。
【００７５】
そこで、本実施形態に係る露光ユニット１２においては、シャフト部材３１０に当接する複数の当接コロ３７０をスライドスリーブ部材３２０に設けるようにしている。このような当接コロ３７０による効果を説明する。図１４は本発明の実施形態に係る露光ユニット１２において当接コロ３７０を設ける効果を説明する図である。本実施形態においては、露光ヘッド２３と一体的に動作するスライドスリーブ部材３２０に、前記第１線分に垂直で前記シャフト部材の中心線を含む第３平面上を中心が通る位置に複数の当接コロ３７０を設けている。すなわち、感光体１０の回転に伴い、当接ローラー３４０からその回転力を受けたスライドスリーブ部材３２０が図に示すように傾く動きを受け止めるような位置に複数の当接コロ３７０を設けている。これにより図１４に示すように、シャフト部材３１０とスライドスリーブ部材３２０との間のアソビを少なくすることができ、露光ヘッド２３が傾くことを抑えることが可能となる。
【００７６】
図１４に示す例では、スライドスリーブ部材３２０の上下両端付近に４つの当接コロ３７０ａ〜３７０ｄが設けられている。図１４に示すように、感光体回転反力を主に２つのコロ３７０ａ、３７０ｄで受け止め、残り２つのコロ３７０ｂ、３７０ｃはシャフト部材３１０と当接コロ３７０とのガタを少なくする役割をし、露光ヘッド２３の傾きを抑えている。ここでスライドスリーブ部材３２０の上下両端付近に設けられた当接コロ３７０は上下方向の間隔をなるべく広くとると、露光ヘッド２３の傾きをより防止しやすい。そのためスライドスリーブ部材３２０の全長は概ね６０ｍｍ以上のものを用い、当接コロ３７０の上下方向の間隔をなるべく５０ｍｍ以上とるようにするのがよい。
【００７７】
以上のような、本発明の露光ユニット１２及びそのような露光ユニット１２が搭載された画像形成装置によれば、２次元配置されてなる複数のレンズを有する露光ヘッド２３を支持する支持部材３３０の端部に設けられたスライドスリーブ部材３２０が当接コロ３７０によって当接される構成となっており、この当接コロ３７０によって、スライドスリーブ部材３２０を含むスライド機構のガタを少なくすることで露光ヘッド２３が傾きを抑えることができるので、レンズの焦点位置が被走査面（感光体１０表面）からずれ、この焦点位置ずれの影響によって、スポットの解像がぼやけてしまい、出力された画像にスジが発生することを抑制することができるのである。
【００７８】
ところで、図１４に示す例では、４つの当接コロ３７０ａ〜３７０ｄを用い、感光体回転反力を主に２つのコロ３７０ａ、３７０ｄで受け止める構成としているが、図１５に示す例では当接コロ３７０ａ〜３７０ｄをそれぞれ複数のコロ群３７０ａ’〜３７０ｄ’で構成している。これにより感光体回転反力を多数のコロで分散させることにより、コロ１個あたりの弾性変形をより少なくすることができるので、スライド機構のガタをより少なくし、露光ヘッド２３の傾きをさらに抑えることができる。
【００７９】
なお、長手方向にわたる発光素子群２０４を３つ有する露光ヘッド２３が搭載された露光ユニット１２においては、露光ヘッド２３の第２線分を含む、第２平面と垂直な面内に、ローラー軸３４１が設けられるようにすると、少なくとも第２線分上の発光素子群２０４のピントずれは防止しやすいものとなる。
【００８０】
次に、本発明の他の実施形態について説明する。先の実施形態に係る露光ユニット１２においては、第１線分乃至第３線分の３つの線分上に配された発光素子群２０４を有する露光ヘッド２３が搭載されたものであったが、本実施形態に露光ユニット１２においては、第１線分乃至第２線分の２つの線分上に配された発光素子群２０４を有する露光ヘッド２３が搭載されたものである。図１６は本発明の他の実施形態に係る露光ユニット１２で用いられる露光ヘッド２３の断面図であり、図１７は本発明の他の実施形態に係る露光ユニット１２で用いられる露光ヘッド２３の発光体アレイとレンズアレイの配置を示す平面図である。
【００８１】
図１６及び図１７に示すような露光ヘッド２３が用いられるときにおける露光ヘッド２３の傾きは図１８に示すもののようになる。このような傾きに対して、本実施形態においては、図１４に示すパターンで当接コロ３７０を設けることにより、アソビを少なくするようにして、露光ヘッド２３の傾きを抑えている。
【００８２】
以上のような、他の実施形態に係る露光ユニット１２及びそのような露光ユニット１２が搭載された画像形成装置によれば、２次元配置されてなる複数のレンズを有する露光ヘッド２３を支持する支持部材３３０の端部に設けられたスライドスリーブ部材３２０が当接コロ３７０によって当接される構成となっており、この当接コロ３７０によって、スライドスリーブ部材３２０を含むスライド機構のガタを少なくすることで露光ヘッド２３が傾くことを抑えることができるので、レンズの焦点位置が被走査面（感光体１０表面）からずれ、この焦点位置ずれの影響によって、スポットの解像がぼやけてしまい、出力された画像にスジが発生することを防止できるのである。
【００８３】
なお、長手方向にわたる発光素子群２０４を３つ有する露光ヘッド２３が搭載された露光ユニット１２においては、露光ヘッド２３の第２線分を含む、第２平面と垂直な面内に、ローラー軸３４１が設けられるようにすると、少なくとも第２線分上の発光素子群２０４のピントずれは防止しやすいものとなる。
【００８４】
なお、長手方向にわたる発光素子群２０４を２つ有する露光ヘッド２３が搭載された本実施形態に係る露光ユニット１２においては、第１線分及び第２線分の双方から等距離にある線分を含む、第２平面と垂直な面内に、ローラー軸３４１が設けられるようにすると、少なくとも２つの線分上の発光素子群２０４のピントずれは均等となり、調整などがしやすくなる。
【符号の説明】
【００８５】
１０Ｙ、１０Ｍ、１０Ｃ、１０Ｋ・・・感光体、１１Ｙ、１１Ｍ、１１Ｃ、１１Ｋ・・・コロナ帯電器、１２Ｙ、１２Ｍ、１２Ｃ、１２Ｋ・・・露光ユニット、１３Ｙ、１３Ｍ、１３Ｃ、１３Ｋ・・・第１感光体スクイーズローラー、１３Ｙ’、１３Ｍ’、１３Ｃ’、１３Ｋ’・・・第２感光体スクイーズローラー、１４Ｙ、１４Ｙ’、１４Ｍ、１４Ｍ’、１４Ｃ、１４Ｃ’、１４Ｋ、１４Ｋ’、・・・感光体スクイーズローラークリーニングブレード、１８Ｙ、１８Ｍ、１８Ｃ、１８Ｋ・・・感光体クリーニングブレード、２０Ｙ、２０Ｍ、２０Ｃ、２０Ｋ・・・現像ローラー、２１Ｙ、２１Ｍ、２１Ｃ、２１Ｋ・・・現像ローラークリーニングブレード、２２Ｙ、２２Ｍ、２２Ｃ、２２Ｋ・・・コンパクションコロナ発生器、２３Ｙ、２３Ｍ、２３Ｃ、２３Ｋ・・・露光ヘッド、３０Ｙ、３０Ｍ、３０Ｃ、３０Ｋ・・・現像装置、３１Ｙ、３１Ｍ、３１Ｃ、３１Ｋ・・・現像剤容器、３２Ｙ、３２Ｍ、３２Ｃ、３２Ｋ・・・アニロックスローラー、３１Ｙ、３１Ｍ、３１Ｃ、３１Ｋ・・・現像剤容器、３３Ｙ、３３Ｍ、３３Ｃ、３３Ｋ・・・規制ブレード、３４Ｙ、３４Ｍ、３４Ｃ、３４Ｋ・・・オーガ（供給ローラー）、４０・・・転写ベルト、４１・・・ベルト駆動ローラー、４２・・・テンションローラー、４５・・・現像剤回収部、４６・・・転写ベルトクリーニングローラー、４７・・転写ベルトクリーニングローラークリーニングブレード、４９・・・転写ベルトクリーニングブレード４９、５０Ｙ、５０Ｍ、５０Ｃ、５０Ｋ・・・１次転写部、５１Ｙ、５１Ｍ、５１Ｃ、５１Ｋ・・・１次転写バックアップローラー、５２・・・テンションローラー、６０・・・２次転写ユニット、６１・・・２次転写ローラー、６２・・・２次転写ローラークリーニングブレード、７４・・・（クリーニング）ブレード保持部材、８５・・・２次転写ユニット回収貯留部、１０１、１０１’・・・ゲートローラー、９０・・・定着ユニット、９１・・・加熱ローラー、９２・・・加圧ローラー、１０１、１０１’・・・ゲートローラー、１０２・・・転写材ガイド、２０１・・・発光部、２０２・・・発光素子、２０４・・・発光素子群、２０５・・・レンズ、２０６・・・レンズアレイ、２２０・・・ガラス基板、２２１・・・ケース、２２２・・・受け穴、２２４・・・固定金具、２２５・・・位置決めピン、２２６・・・ねじ挿入孔、２２７・・・封止部材、２２８・・・遮光部材、２２９・・・透孔、２７１・・・レンズ基板、２７２、２７３・・・レンズ屈折面部、３００・・・ユニット基材、３１０・・・シャフト部材、３２０・・・スライドスリーブ部材、３３０・・・支持部材、３４０・・・当接ローラー、３４１・・・ローラー軸、３５０・・・付勢部材、３７０・・・当接コロ。
【図１】
2012213976.tif 000003
【図２】
2012213976.tif 000004
【図３】
2012213976.tif 000005
【図４】
2012213976.tif 000006
【図５】
2012213976.tif 000007
【図６】
2012213976.tif 000008
【図７】
2012213976.tif 000009
【図８】
2012213976.tif 000010
【図９】
2012213976.tif 000011
【図１０】
2012213976.tif 000012
【図１１】
2012213976.tif 000013
【図１２】
2012213976.tif 000014
【図１３】
2012213976.tif 000015
【図１４】
2012213976.tif 000016
【図１５】
2012213976.tif 000017
【図１６】
2012213976.tif 000018
【図１７】
2012213976.tif 000019
【図１８】
2012213976.tif 000020